(57)【特許請求の範囲】
【請求項１】
水処理槽の開口の縁部に設けられた段付凹入状の蓋受け部における相対向する２箇所の立上り面のそれぞれに内向きに突出された固定係合片と、
上記蓋受け部に嵌合状に配備されて上記開口を覆う覆蓋本体の一端部に形成されており、その覆蓋本体の一端両側で開口し覆蓋本体の下面側に盗み凹所を備えていると共に上記固定係合片の一方が嵌脱可能な第１凹入部と、
第１凹入部に回転可能に配備されかつその頭部が覆蓋本体の上面から突出する位置とその頭部が覆蓋本体の上面から突出しない位置との間で上下動可能に配備された操作軸と、
上記第１凹入部内で上記操作軸から横向きに延び出て、上記操作軸が下動されたときにその第１凹入部に嵌合している上記固定係合片よりも下位に位置され、その固定係合片に係合したときに上記操作軸の頭部を覆蓋本体の上面から突出しない位置に位置決めすると共に、上記操作軸を回転操作することによりその固定係合片に対して重ならない非係合位置とその固定係合片に対して重なる係合位置との間で旋回される可動係合片と、
上記操作軸を上動方向に常時付勢するばね体と、
第１凹入部に設けられたガイド部材であって、固定係合片よりも少し下位に位置する平坦部とこの平端部の端部から斜め上方に延び出た傾斜部とを備え、可動係合片が固定係合片に対して重ならない非係合位置から固定係合片の下側でその固定係合片に重なる係合位置に旋回する方向に操作軸を回転操作すると、可動係合片が上記傾斜部と摺動して下降しながら旋回した後、上記平坦部の下側に嵌まり込むように、可動係合片を非係合位置と係合位置との間で案内するガイド部材と、
覆蓋本体の他端部に形成されてその覆蓋本体の他端両側で開口し覆蓋本体の上面側に嵌合部を備えていると共に上記固定係合片の他方が嵌脱可能な第２凹入部と、
を備えることを特徴とする水処理槽覆蓋のロック装置。
【請求項２】
第１凹入部における操作軸の背部に係止部が設けられ、この係止部に対応する可動係合片の基端部に、この可動係合片が係合位置から非係合位置に一方向に旋回することを阻止しかつ他方向に旋回することを許す係合部が設けられている請求項１に記載の水処理槽覆蓋のロック装置。
【発明の詳細な説明】
【０００１】
【発明の属する技術分野】
本発明は、浄化槽などの水処理槽の開口に着脱される水処理槽覆蓋をロックする装置に関する。
【０００２】
【従来の技術】
覆蓋は、浄化槽や下水処理場などの水処理層においてその開口を覆うことに用いられる。そして、これらの水処理槽においては、清掃や点検時に覆蓋を取り除いた開口を通して作業者が出入りする。また、一般的に１つの開口には複数の覆蓋が並べて配備されるようになっており、そのような水処理槽では一部の覆蓋だけを取り除いて内部の清掃や点検を行うこともある。
【０００３】
図９および図１０に従来のロック装置を備えた覆蓋Ａとその覆蓋Ａで開口を覆った水処理槽Ｐを示してある。
【０００４】
水処理槽Ｐは矩形の開口１００の周縁部に段付凹入状の蓋受け部１１０を備えており、その蓋受け部１１０に覆蓋Ａが載架されるようになっている。覆蓋Ａには着脱用の把手ユニット２１０が設けられている。
【０００５】
ロック装置は、矩形の覆蓋本体２０１の一端部に貫通状に配備された操作軸２０２と、この操作軸２０２の下端部に固着された可動係合片２０３と、水処理層Ｐにおける一側と他側の側壁のそれぞれ上端部で内向きに突出された固定係合片２０４，２０５と、覆蓋本体２０１の他端部の裏面側に取り付けられた係合片２０６とを基本的要素として備えている。そして、従来のロック装置においては、可動係合片２０３や係合片２０６、固定係合片２０４，２０５などが水処理槽Ｐ内に突き出ている。
【０００６】
このロック装置にあっては、操作軸２０２を工具（不図示）で回転させると、可動係合片２０３が操作軸２０２と共に回転する。そして、覆蓋Ａを蓋受け部１１０に載架したときに図示のように係合片２０６が固定係合片２０５に下側で重なり、可動係合片２０３が固定係合片２０４に下側で重なっていると、覆蓋Ａを持ち上げて取り除こうとしても、可動係合片２０３が固定係合片２０４に係合し、係合片２０６が固定係合片２０５に係合するので、覆蓋Ａを取り除くことができない。ロック状態である。
【０００７】
このロック状態から、操作軸２０２を回転させて図１０の矢符ａのように可動係合片２０３を回転させて固定係合片２０４に重ならない非係合位置にするとロック解除状態になり、覆蓋Ａの一端部を持ち上げてその覆蓋Ａを取り除くことができるようになる。そして、ロック解除状態として覆蓋Ａを蓋受け部１１０に載架させた後、操作軸２０２を回転させて図２の矢符ｂのように可動係合片２０３を回転させて固定係合片２０４に下側で重ねるとロック状態になる。
【０００８】
【発明が解決しようとする課題】
ところで、水処理槽Ｐを清掃したり点検したりするときに、覆蓋Ａを取り除いた開口１００を利用して作業者が水処理槽Ｐに出入りする場合、上記のように水処理槽Ｐの側壁に固定係合片２０４，２０５が出っ張っていると危険である。また、水処理槽Ｐの１つの開口１００に複数の覆蓋Ａ…が横に並べて載架されているような場合において、所定の覆蓋を取り除いて開いた箇所から作業者が出入りするような場合には、水処理槽Ｐの側壁に出っ張っている固定係合片２０４，２０５のみならず、残った覆蓋Ａ…から開口１００内に出っ張っている可動係合片２０３や係合片２０６も危険である。
【０００９】
本発明は以上の事情の下でなされたものであり、作業者が出入りする水処理槽の開口内への突出物を無くして作業者の出入りの安全性を確保することのできる水処理槽覆蓋のロック装置を提供することを目的とする。
【００１０】
本発明に係る水処理槽覆蓋のロック装置は、水処理槽の開口の縁部に設けられた段付凹入状の蓋受け部における相対向する２箇所の立上り面のそれぞれに内向きに突出された固定係合片と、上記蓋受け部に嵌合状に配備されて上記開口を覆う覆蓋本体の一端部に形成されており、その覆蓋本体の一端両側で開口し覆蓋本体の下面側に盗み凹所を備えていると共に上記固定係合片の一方が嵌脱可能な第１凹入部と、第１凹入部に回転可能に配備されかつその頭部が覆蓋本体の上面から突出する位置とその頭部が覆蓋本体の上面から突出しない位置との間で上下動可能に配備された操作軸と、上記第１凹入部内で上記操作軸から横向きに延び出て、上記操作軸が下動されたときにその第１凹入部に嵌合している上記固定係合片よりも下位に位置され、その固定係合片に係合したときに上記操作軸の頭部を覆蓋本体の上面から突出しない位置に位置決めすると共に、上記操作軸を回転操作することによりその固定係合片に対して重ならない非係合位置とその固定係合片に対して重なる係合位置との間で旋回される可動係合片と、上記操作軸を上動方向に常時付勢するばね体と、第１凹入部に設けられたガイド部材であって、固定係合片よりも少し下位に位置する平坦部とこの平端部の端部から斜め上方に延び出た傾斜部とを備え、可動係合片が固定係合片に対して重ならない非係合位置から固定係合片の下側でその固定係合片に重なる係合位置に旋回する方向に操作軸を回転操作すると、可動係合片が上記傾斜部と摺動して下降しながら旋回した後、上記平坦部の下側に嵌まり込むように、可動係合片を非係合位置と係合位置との間で案内するガイド部材と、覆蓋本体の他端部に形成されてその覆蓋本体の他端両側で開口し覆蓋本体の上面側に嵌合部を備えていると共に上記固定係合片の他方が嵌脱可能な第２凹入部と、を備える、というものである。
【００１１】
このように構成されたロック装置においては、その構成要素である操作軸や可動係合片は覆蓋本体に形成された第１凹入部に収容されており、第２凹入部の係合部は覆蓋本体の上面側に備わっており、固定係合片は水処理槽の開口の縁部に設けられた段付凹入状の蓋受け部の立上り面で内向きに突出されているので、水処理層の開口内に出っ張る部材がない。
【００１２】
このロック装置においては、可動係合片が非係合位置になっていると、ばね体の力で操作軸の頭部が覆蓋本体の上面から突出した位置に保持されるのに対し、可動係合片が係合位置において固定係合片の下側に重なっていると、操作軸の頭部がばね体の力に抗して覆蓋本体の上面から突出しない位置に保持される。このため、操作軸の頭部が覆蓋本体の上面から突出しているか否かを見定めることにより覆蓋がロックされているかロックされていないかを判別できる。
【００１３】
このロック装置では、覆蓋本体の上面から突出している操作軸の頭部をばね体の力に抗して押し下げることと、操作軸を回転操作して可動係合片を非係合位置から係合位置に旋回させることとを行うことによって、覆蓋をロックすることができる。また、操作軸を回転操作して可動係合片を係合位置から非係合位置に旋回させることによってロック解除することができる。また、ガイド部材を設けたことにより、操作軸を回転操作するだけで可動係合片を非係合位置から固定係合片の下側でその固定係合片に重なる係合位置に旋回させることができるようになる。
【００１４】
本発明においては、第１凹入部における操作軸の背部に係止部が設けられ、この係止部に対応する可動係合片の基端部に、この可動係合片が係合位置から非係合位置に一方向に旋回することを阻止しかつ他方向に旋回することを許す係合部が設けられているという構成を採用することができる。この構成であると、操作軸を回転操作して可動係合片を非係合位置から係合位置に旋回させたときに、可動係合片を係合位置に確実に位置合わせすることができるようになる。
【００１６】
【発明の実施の形態】
図１は本発明に係るロック装置を取り付けた覆蓋Ａとその覆蓋Ａで開口１００を覆った水処理槽Ｐを示す一部省略縦断正面図、図２は要部の平面図、図３は他の要部の平面図、図４はロック解除された覆蓋Ａとその覆蓋Ａで開口１００が覆われた水処理槽Ｐの要部の縦断正面図、図５はロック解除された覆蓋Ａの縦断側面図である。
【００１７】
水処理槽Ｐにおいて、矩形の開口１００の周縁部にＬ形鋼材を埋設することによって段付凹入状の蓋受け部１１０が設けられている。この蓋受け部１１０の一側の立上り面１１１に内向きに固定係合片１が突出されており、同様に、蓋受け部１１０の他側の立上り面１１２に内向きに固定係合片２が突出されている。これらの固定係合片１，２は立上り面１１１，１１２から少し突出された矩形の板材によって形成されており、その全体が蓋受け部１１０により形成される蓋受け空間に納まっている。すなわち、固定係合片１，２は、水処理槽Ｐの開口１００に出っ張っていない。
【００１８】
覆蓋Ａにおいて、パネル状の覆蓋本体３はＦＲＰや発泡合成樹脂板の上下（表裏）両面に表面材３１を積層一体化することにより形成されており、その一端部の適所と他端部の適所とに発錆しにくい金属であるステンレスで作られた中空ユニット３２，３３が面一にビス３４…で取り付けられている。このため、覆蓋本体３の一端部には中空ユニット３２によって第１凹入部３５が形成され、また、他端部には中空ユニット３３によって第２凹入部３６が形成される。そして、第１凹入部３５は覆蓋本体３の一端面側で開口しており、覆蓋本体３の下面側には図１に示したように盗み凹所３７が形成されている。第２凹入部３５は覆蓋本体３の他端面側で開口している。
【００１９】
第１凹入部３５を形成している中空ユニット３２の底板部３８に筒形ガイド３９が第１凹入部３５内に突き出る形態で固定されているのに対し、この中空ユニット３２のカバー部４１には上記筒形ガイド３９と同心状に円形の開口４２が開設されている。そして、径小な軸部４４の上端に径大な頭部４５を備える操作軸４３の上記軸部４４が上記筒形ガイド３９に回転および上下摺動自在に嵌合されていると共に、操作軸４３の頭部４５が上記開口４２に回転および上下摺動自在に嵌合されている。なお、頭部４５には角孔４５ａが形成されていて、この角孔４５ａに差し込んだ工具で操作軸４３を回転させることができる。
【００２０】
操作軸４３の軸部４４に平板材でなる可動係合片４が固着されている。図２で判るように、可動係合片４は第１凹入部３５内で操作軸４３から横向きに延び出ており、その基端部の１つのコーナ部の輪郭線が略９０度に曲がった形になっており、他の１つのコーナ部の輪郭線は操作軸４３の軸線を中心とする円弧状になっている。これに対し、操作軸４３の背部に、上記した覆蓋本体３の端面によって形成された面状の係止部４６が位置しており、この係止部４６に可動係合片４の上記基端部が対応している。このため、図２において可動係合片４が実線で示した位置になっている状態から操作軸４３を時計方向（右回り）に回転させようとしたときには、輪郭線が略９０度に曲がった形になっている可動係合片４の１つのコーナ部が係止部４６に当たって可動係合片４の時計方向への旋回を阻止する。しかし、操作軸４３を反時計方向（左回り）に回転させようとしたときには、可動係合片４の他の１つのコーナ部の輪郭線が円弧状になっているので、可動係合片４の反時計方向への旋回が可能である。このため、可動係合片４の基端部において、輪郭線が略９０度に曲がった形になっている１つのコーナ部が上記係止部４６に対応する係合部４７として機能し、この係合部４７と上記係止部４６との共働によって、可動係合片４は図２に矢印Ｘで示したように略９０度の範囲でのみ旋回可能となる。
【００２１】
図１、図４および図５のように、中空ユニット３２の底板３８と上記可動係合片４との間にコイルばねでなるばね体５が介在されており、このばね体５の力によって操作軸４３が上動方向に常時付勢されている。
【００２２】
ここで、覆蓋Ａを蓋受け部１１０に載架して水処理槽Ｐの開口１００を覆ったときには、図１や図４のように固定係合片１が第１凹入部３５に嵌合した状態になる。そして、図１のように第１凹入部３５に嵌合した固定係合片１にその下側から可動係合片４が重なり合って係合しているときには、操作軸４３の位置がばね体５の力に抗してその位置に保たれ、操作軸４３の頭部４５が覆蓋本体３の上面から突出しない位置に保持される。また、可動係合片４が固定係合片１に重ならない位置に旋回されているときには、図４や図５のようにばね体５の力によって操作軸４３が上動されてその頭部４５が覆蓋本体３の上面から突出する。
【００２３】
第２凹入部３６は覆蓋本体３の上面側に係合部３６ａを備えている。なお、覆蓋本体３は、図７や図８で説明したものと同様に把手ユニット（不図示）を有しており、その把手ユニットを手で持って蓋受け部１１０に着脱されるようになっている。
【００２４】
以上のように構成されたロック装置において、操作軸４３がばね体５の力に抗して下動限まで押し込まれたときには、可動係合片４の位置が第１凹入部３５に嵌合している固定係合片１よりも下位に位置されるようになっている。
【００２５】
次に作用を説明する。
【００２６】
覆蓋Ａを蓋受け部１１０に載架して水処理槽Ｐの開口１００を覆わせるときには、覆蓋本体３の一端部を蓋受け部１１０に載架する前に、覆蓋本体３の他端部を蓋受け部１１０に載架し、覆蓋本体３の第２凹入部３６に固定係合片２を嵌入しておく。その状態から覆蓋本体３の他端部を支点として覆蓋本体３の一端部を下動させていく。その際、可動係合片４は図２の仮想線（二点鎖線）で示す位置にしておく。
【００２７】
覆蓋本体３の一端部を蓋受け部１１０に載架すると、図４のように固定係合片１が第１凹入部３５に嵌合されるので、次に、覆蓋本体３の上面から突出している操作軸４３の頭部４５をばね体５の力に抗して押し下げながら、操作軸４３を図２において時計方向に回転操作する。この操作により、可動動係合片４が図２に仮想線で示した位置である非係合位置から同図に実線で示した位置である係合位置に旋回するので、操作軸４３に対する押込力を解除することによって図１に矢符Ｎで示したように可動係合片４がばね体５の力で固定係合片１に重なり合って係合し、操作軸４３の頭部４５が覆蓋本体３の上面から突出しない位置に保持される。ロック状態である。
【００２８】
次に、図１や図２の実線で示したロック状態から、操作軸４３を図２において反時計方向に回転操作して可動係合片４を係合位置から非係合位置に旋回させることによってロック解除することができ、このロック解除状態では、操作軸４３の頭部４５がばね体５の力で覆蓋本位３の上面から突出する。したがって、操作軸４３の頭部４５が覆蓋本体３の上面から突出していなければ、覆蓋Ａがロックされていると判断でき、その頭部４５が覆蓋本体３の上面から突出していればロック解除状態、すなわちロックされていないと判断できる。
【００２９】
ここで、非係合位置は可動係合片４が固定係合片１に対して重ならない位置のことであり、係合位置は可動係合片４が固定係合片１に対して重なる位置のことである。
【００３０】
この実施形態では、可動係合片４を非係合位置から係合位置まで旋回させるときに、操作軸４３をばね体５の力に抗して押し下げる必要があるけれども、図６〜図８に示した他の実施形態によると、操作軸４３を回転させるだけで操作軸４３がばね体５の力に抗して自動的に下動するようになる。
【００３１】
図６や図７は他の実施形態によるロック装置を取り付けた覆蓋Ａの要部の縦断正面図、図８は同ロック装置を取り付けた覆蓋Ａの要部の縦断側面図である。この実施形態では、第１凹入部３５に、操作軸４３を回転操作したときに可動係合片４を固定係合片１に対して重ならない非係合位置と固定係合片１の下側でその固定係合片１に重なる係合位置との間で案内するガイド部材６が設けられている。このガイド部材６は、平坦部６１とこの平坦部６１の端部から斜め上方に延び出た傾斜部６２とを備えていて、中空ユニット３２のカバー部４１に固着されている。そして、上記平坦部６１は、第１凹入部３５に嵌合した固定係合片１よりも少し下位に位置している。
【００３２】
このように構成しておくと、可動係合片４が非係合位置から係合位置に旋回する方向（図２の時計方向）に操作軸４３を図６の矢符Ｒのように回転操作すると、同図に矢符Ｌで示したように、可動係合片４がガイド部材６の傾斜部６２と摺動して下降しながら旋回した後、平坦部６１の下側に嵌まり込み、これにより、可動係合片４が固定係合片１の下側でその固定係合片１に重なる係合位置に旋回される。なお、図８においては、傾斜部６２を摺動している可動係合片４を一点鎖線や二点鎖線で示してある。
【００３３】
図６〜図８で説明した他の実施形態において、その他の構成や作用は図１〜図５で説明した実施形態と同様であるので、同一部分に同一符号を付して詳細な説明を省略する。
【００３４】
この実施形態のロック装置において、その構成要素である操作軸４３や可動係合片４は覆蓋本体３の第１凹入部３５に収容されており、第２凹入部３６の係合部３６ａは覆蓋本体３の上面側に備わっており、固定係合片１，２は水処理槽Ｐに設けられた段付凹入状の蓋受け部１１０の立上り面１１１で内向きに突出されているので、水処理層Ｐの開口１００内に出っ張る部材はない。そのため、清掃や点検などのために作業者が開口１００を出入りしても、開口１００内に出っ張った部材が作業者に当たって怪我をするといった余地はまったくない。
【００３５】
【発明の効果】
本発明による水処理槽覆蓋のロック装置によれば、操作軸や可動係合片、固定係合片のほとんどの構成要素が覆蓋本体の第１凹入部や水処理槽側の蓋受け部に収容され、残りの要素である第２凹入部の係合部は覆蓋本体の上面側に備わっているので、水処理層の開口内に出っ張る部材がなくなる。そのため、覆蓋を取り除いて確保した開き箇所を利用して作業者が水処理槽に出入りするときの安全性が向上する。また、操作軸の頭部が覆蓋本体の上面から突出しているか否かを見定めるだけで覆蓋がロックされているかロックされていないかを容易かつ確実に判別できる利点がある。
【００３６】
また、操作軸の背部に係止部を設け、この係止部に対応する可動係合片の基端部に係合部を設けたものによれば、操作軸を回転操作して可動係合片を係合位置にしてロックする操作を確実に行えるようになる。
【００３７】
さらに、可動係合片を非係合位置と係合位置との間で案内するガイド部材を設けたものによれば、操作軸を回転操作するだけで可動係合片を非係合位置から固定係合片の下側でその固定係合片に重なる係合位置に旋回させることができるようになり、ロックするときに操作軸をばね体の力に抗して押し込むという操作を行う必要がなくなり、それだけ使い勝手が向上する。
【図面の簡単な説明】
【図１】本発明に係るロック装置を取り付けた覆蓋とその覆蓋で開口を覆った水処理槽を示す一部省略縦断正面図である。
【図２】図１の要部の平面図である。
【図３】図１の他の要部の平面図である。
【図４】ロック解除された覆蓋とその覆蓋で開口が覆われた水処理槽の要部の縦断正面図である。
【図５】ロック解除された覆蓋の縦断側面図である。
【図６】他の実施形態によるロック装置を取り付けた覆蓋において、ロックされたものの要部の縦断正面図である。
【図７】同ロック装置を取り付けた覆蓋において、ロック解除されたものの要部の縦断正面図である。
【図８】同ロック装置を取り付けた覆蓋において、ロックされたものの要部の縦断側面図である。
【図９】従来のロック装置を備えた覆蓋と水処理槽を示す一部省略垂直断面図である。
【図１０】従来のロック装置の要部を示す平面図である。
【符号の説明】
１，２  固定係合片
３  覆蓋本体
４  可動係合片
５  ばね体
６  ガイド部材
３５  第１凹入部
３６  第２凹入部
３６ａ  係合部
３７  盗み凹所
４３  操作軸
４５  頭部
４６  係止部
４７  係合部
１００  開口
１１０  蓋受け部
１１１，１１２  立上り面
Ｐ  水処理槽
【図１】
0003663554.tif 000002
【図２】
0003663554.tif 000003
【図３】
0003663554.tif 000004
【図４】
0003663554.tif 000005
【図５】
0003663554.tif 000006
【図６】
0003663554.tif 000007
【図７】
0003663554.tif 000008
【図８】
0003663554.tif 000009
【図９】
0003663554.tif 000010
【図１０】
0003663554.tif 000011